(57)【要約】【課題】ソフトクローズ機構を装備した室内引戸において、全閉状態の障子を開く際に漸増する操作力を効果的に軽減することができる操作力軽減装置を提供する。【解決手段】一端部に当接体２Ａが設けられ、障子Ｄ１の戸先側に位置する第１厚み方向軸Ｇ１まわりに揺動する揺動レバー２と、第１厚み方向軸Ｇ１よりも戸先側に位置する第２厚み方向軸Ｇ２まわりに揺動して障子Ｄ１の戸先端Ｃから出没し、その戸尻側面３Ａに当接体２Ａが当接する揺動片３とを備え、揺動レバー２の入力部Ｉの戸尻側への移動により、戸先側へ揺動する当接体２Ａが揺動片３の戸尻側面３Ａに当接しながら押圧して揺動片３を障子Ｄ１の戸先端Ｃから突出させるとともに、障子Ｄ１を全閉状態から開く際における入力部Ｉの操作に伴う、揺動レバー２の揺動角度に対する揺動片３の揺動角度が漸減するように揺動片３の戸尻側面３Ａを形成した。【選択図】図６
2013130022.tif 000002
【特許請求の範囲】
【請求項１】
ソフトクローズ機構を装備した室内引戸において、障子を全閉状態から開く際に一定開き量まで漸増する操作力を軽減する操作力軽減装置であって、
一端部に当接体が設けられ、前記障子の戸先側に位置する第１厚み方向軸まわりに揺動する、上下方向に長い揺動レバーと、
前記第１厚み方向軸よりも戸先側に位置する第２厚み方向軸まわりに揺動して前記障子の戸先端又はその側方から出没し、その戸尻側面に前記当接体が当接する揺動片とを備え、
前記揺動レバーの他端部側を入力部として、この入力部を操作することにより前記当接体を戸先側へ揺動させ、前記当接体により前記揺動片の戸尻側面を押圧して前記揺動片を前記障子の戸先端又はその側方から突出させるとともに、前記障子を全閉状態から開く際における前記入力部の操作に伴う、前記揺動レバーの揺動角度に対する前記揺動片の揺動角度が漸減するように、前記当接体が当接する前記揺動片の戸尻側面を形成してなることを特徴とする操作力軽減装置。
【請求項２】
前記揺動レバーが、その長手方向の中間部が前記第１厚み方向軸まわりに揺動可能に支持されたものであり、前記揺動レバーの入力部に係合する、前記障子により開閉方向にスライド可能に支持された操作片を備えてなる請求項１記載の操作力軽減装置。
【発明の詳細な説明】
【技術分野】
【０００１】
本発明は、ソフトクローズ機構を装備した室内引戸において、障子を全閉状態から開く際に一定開き量まで漸増する操作力を軽減する装置に関するものである。
【背景技術】
【０００２】
近年、室内引戸において、障子を勢いよく閉めた場合であっても、騒音及び損傷の発生を抑制しながら障子を確実に自動閉止するソフトクローズ機構を標準装備したものが多くなっており（例えば、特許文献１参照。）、このようなソフトクローズ機構を備えた室内引戸においては、障子を開く操作に伴って自動閉止用引張コイルばねを所定長さまで引張してセットする必要があることから、障子を全閉状態から開く際に一定開き量（例えば、１００ｍｍ程度。）まで操作力が漸増するため、操作性が悪くなっている。
また、引き形式のサッシ窓において、複層ガラス入り障子等の普及により障子自体の重量が増大していること及び気密性が向上していることから、大きくなっている開放操作力を軽減するために、梃子の原理を利用した開放操作力軽減装置を障子の戸先框に取り付けるものがある（例えば、特許文献２〜４参照。）。
【先行技術文献】
【特許文献】
【０００３】
【特許文献１】特開２００８−２０８５８６号公報
【特許文献２】特開２００１−２７１５２０号公報
【特許文献３】特開２００６−０９７２４８号公報
【特許文献４】特開２０１０−０４７９０４号公報
【発明の概要】
【発明が解決しようとする課題】
【０００４】
ソフトクローズ機構を装備した室内引戸に対して、梃子の原理を利用した開放操作力軽減装置を障子の戸先框に取り付けて使用することが考えられるが、この開放操作力軽減装置は、蹴り出し量が短く、障子の全閉状態から２０ｍｍ程度開いた位置までしか作用しないため、ソフトクローズ機構を装備した室内引戸の自動閉止用引張コイルばねを所定長さまで引張してセットするまで、例えば１００ｍｍ程度障子を開く際に漸増する操作力を軽減する用途には用いることができない。
なお、梃子の原理を利用した開放操作力軽減装置において、支点から作用点（例えば、アーム先端）までの距離を所要の長さまで長くすれば、ソフトクローズ機構を装備した室内引戸の前記漸増する操作力を軽減する用途に対応させることは可能であるが、操作力を軽減させるためには、支点から力点（例えば、把手を掴む位置）までの距離を、支点から作用点までの距離よりも長くする必要があるころから、把手（レバー）の長さが非常に長くなってしまうため、実用的な構成とはならない。
【０００５】
そこで本発明が前述の状況に鑑み、解決しようとするところは、ソフトクローズ機構を装備した室内引戸において、全閉状態の障子を開く際に漸増する操作力を効果的に軽減することができる実用的な操作力軽減装置を提供する点にある。
【課題を解決するための手段】
【０００６】
本発明に係る操作力軽減装置は、前記課題解決のために、ソフトクローズ機構を装備した室内引戸において、障子を全閉状態から開く際に一定開き量まで漸増する操作力を軽減する操作力軽減装置であって、一端部に当接体が設けられ、前記障子の戸先側に位置する第１厚み方向軸まわりに揺動する、上下方向に長い揺動レバーと、前記第１厚み方向軸よりも戸先側に位置する第２厚み方向軸まわりに揺動して前記障子の戸先端又はその側方から出没し、その戸尻側面に前記当接体が当接する揺動片とを備え、前記揺動レバーの他端部側を入力部として、この入力部を操作することにより前記当接体を戸先側へ揺動させ、前記当接体により前記揺動片の戸尻側面を押圧して前記揺動片を前記障子の戸先端又はその側方から突出させるとともに、前記障子を全閉状態から開く際における前記入力部の操作に伴う、前記揺動レバーの揺動角度に対する前記揺動片の揺動角度が漸減するように、前記当接体が当接する前記揺動片の戸尻側面を形成してなることを特徴とする。
【０００７】
このような構成によれば、前記梃子の原理を利用した開放操作力軽減装置のような揺動レバーの一端部を障子の戸先端から直接出没させて縦枠に押し当てる構成ではなく、揺動片の戸尻側面を揺動レバー一端部の当接体により押圧することにより、当接体により押圧されて戸先端又はその側方から突出する揺動片を縦枠に押し当てる構成であるため、当接体が押圧される揺動片の戸尻側面の形状を変えることにより、揺動レバーの揺動角度に対する揺動片の揺動角度（蹴り出し量）を容易に変えることができるので、コンパクトな構成により操作力を軽減する力（アシスト力）を大きくすることができる。
その上、障子を全閉状態から開く際における揺動レバーの入力部の操作に伴う、揺動レバーの揺動角度に対する揺動片の揺動角度が漸減するように揺動片の戸尻側面が形成されていることから、障子を全閉状態から開くにつれ、揺動片により縦枠を押す力（アシスト力）が漸増する。
したがって、ソフトクローズ機構を装備した室内引戸においては、障子を全閉状態から開く際に一定開き量まで操作力が漸増するが、この漸増する操作力を軽減するために揺動片により縦枠を押す力（アシスト力）も漸増するため、操作者が障子を全閉状態から開く際に必要な力をほぼ一定にすることができるので、操作性（操作感）を大幅に向上することができる。
【０００８】
ここで、前記揺動レバーが、その長手方向の中間部が前記第１厚み方向軸まわりに揺動可能に支持されたものであり、前記揺動レバーの入力部に係合する、前記障子により開閉方向にスライド可能に支持された操作片を備えてなると好ましい。
このような構成によれば、障子を全閉状態から開く際における障子の移動方向と操作片を操作する方向とが完全に一致するため、さらに操作性を向上することができる。
【発明の効果】
【０００９】
以上のように、本発明に係る操作力軽減装置によれば、ソフトクローズ機構を装備した室内引戸において、揺動片の戸尻側面を揺動レバーの一端部の当接体により押圧することにより、当接体により押圧されて戸先端又はその側方から突出する揺動片を縦枠に押し当てる構成であるとともに、障子を全閉状態から開く際における揺動レバーの入力部の操作に伴う、揺動レバーの揺動角度に対する揺動片の揺動角度が漸減するように揺動片の戸尻側面が形成さているので、コンパクトな構成により操作力を軽減する力を大きくすることができる実用的な構成を実現することができるとともに、操作性（操作感）を大幅に向上することができるという顕著な効果を奏する。
【図面の簡単な説明】
【００１０】
【図１】本発明の実施の形態に係る操作力軽減装置が適用された室内引戸の正面図である。
【図２】同操作力軽減装置の構成を示す部分縦断正面図であり、障子の全閉状態を示している。
【図３】同操作力軽減装置の斜視図である。
【図４】同分解斜視図である。
【図５】同分解斜視図である。
【図６】障子を全閉状態から開く際における揺動レバーの入力部の戸尻側への移動に伴う、揺動レバー及び揺動片の動作を示部分縦断正面図である。
【図７】同部分縦断正面図である。
【図８】開閉方向にスライド可能に支持された操作片により揺動レバーの入力部を操作する構成を示す部分縦断正面図である。
【発明を実施するための形態】
【００１１】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、外障子Ｄ１の閉方向（図１中の矢印Ａ１参照。）に向かって前方を前、後方を後とし、前方に向かって左右をいい、左方から見た図を正面図とする。
【００１２】
図１の正面図に示すように、本発明の実施の形態に係る室内引戸Ｓは、枠体Ｆで仕切られた例えば出入口である開口部Ｅを引き違い式の外障子Ｄ１及び内障子Ｄ２により開閉するものであり、障子Ｄ１，Ｄ２が開いた状態から閉方向Ａ１へ勢いよく閉めた場合であっても、騒音及び損傷の発生を抑制しながら確実に自動閉止するソフトクローズ機構である引戸用ブレーキ装置Ｂ，Ｂを備えている。
また、引戸用ブレーキ装置Ｂ，Ｂの自動閉止用引張コイルばねを障子Ｄ１，Ｄ２を開く際に所定長さまで引張してセットする必要があることから、障子Ｄ１，Ｄ２を全閉状態から開く際に一定開き量（例えば、１００ｍｍ程度。）まで操作力が漸増するため、この操作力を軽減する操作力軽減装置１，１を備えている。
【００１３】
本発明の実施の形態に係る操作力軽減装置１，１は同じものであるため、外障子Ｄ１に装着されている操作力軽減装置１を代表させて以下において説明する。
図２の部分縦断正面図、図３の斜視図並びに図４及び図５の分解斜視図に示すように、操作力軽減装置１は、下端部（一端部）に当接体であるカラー２Ａが設けられるとともに上端部（他端部）に入力部Ｉが設けられ、障子Ｄ１の前側（戸先側）に位置する、左右方向の支軸である第１厚み方向軸Ｇ１まわりに揺動可能に、長手方向の中間部が支持された、上下方向に長い揺動レバー２と、第１厚み方向軸Ｇ１よりも前側に位置する、左右方向の支軸である第２厚み方向軸Ｇ２まわりに揺動して障子Ｄ１の戸先端Ｃから出没し、その後面（戸尻側面）３Ａにカラー２Ａが当接する揺動片３とを備える。
また、操作力軽減装置１は、入力部Ｉを後側（戸尻側）へ移動させるように操作することにより、前側（戸先側）へ揺動する当接体であるカラー２Ａが揺動片３の後面３Ａに当接しながら押圧して揺動片３を障子Ｄ１の戸先端Ｃから突出させ、揺動片３により縦枠Ｌ（図１参照。）を押す力（アシスト力）により、障子Ｄ１を全閉状態から開く際に一定開き量まで漸増する操作力を軽減するものである。
【００１４】
図４に示すように、揺動レバー２の下端部の通孔２Ｃ，２Ｃ間に、円筒状のカラー２Ａ内に遊嵌された円筒状のスペーサー６Ｂを位置させた状態で、リベット６Ａを、一方の通孔２Ｃ、スペーサー６Ｂの通孔及び他方の通孔２Ｃを通して軸端を加締めることにより、当接体であるカラー２Ａは、揺動レバー２の下端部に転動自在に装着される。
また、図５に示すように、揺動レバー２の入力部Ｉである上端部の左側板状片の上下の螺孔２Ｄ，２Ｄに、取付ねじ９，９をハンドル７の上下の通孔７Ａ，７Ａに挿通して螺合することにより、ハンドル７が取り付けられ、同様にして揺動レバー２の入力部Ｉである上端部右側の板状片にもハンドル７が取り付けられ、それらの左右のハンドル７，７には、図３及び図５に示すようにハンドルカバー８，８が装着され、ハンドル７及びハンドルカバー８が操作片Ｈ１を構成する。
図４に示すように、揺動片３には、揺動レバー２のカラー２Ａが当接する後面３Ａよりも上方後部に位置する通孔３Ｃ，３Ｃにリベット１０を通して軸端を加締めることにより、リベット１０が揺動片３に取り付けられ、後述する引張コイルばね５のばね掛け部を構成する。
【００１５】
図４に示すように、上下方向に長い揺動レバー２中間部の通孔２Ｂ，２Ｂ間に円筒状のスペーサー１１Ｂを位置させ、揺動レバー２の中間部をフレーム４の左右の板状部材内に挿入して、フレーム４の後方上部の通孔４Ａと通孔２Ｂの位置を合わせた状態で、リベット１１Ａを、一方の通孔４Ａ、一方の通孔２Ｂ、スペーサー１１Ｂの通孔、他方の通孔２Ｂ及び他方の通孔４Ａを通して軸端を加締めることにより、揺動レバー２は、図２に示す第１厚み方向軸Ｇ１まわりに揺動可能に支持される。
ここで、スペーサー１１Ｂが、後述する引張コイルばね５のばね掛け部を構成する。
【００１６】
また、図４に示すように、揺動片３上部の通孔３Ｂ内にスペーサー１２Ｂを挿通した状態で、揺動片３をフレーム４の左右の板状部材内に挿入して、フレーム４の前方上部の通孔４Ｂと揺動片３上部通孔３Ｂ（スペーサー１２Ｂの通孔）の位置を合わせた状態で、リベット１２Ａを、一方の通孔４Ｂ、スペーサー１２Ｂの通孔及び他方の通孔４Ｂを通して軸端を加締めることにより、揺動片３は、図２に示す第２厚み方向軸Ｇ２まわりに揺動可能に支持される。
さらに、上述のばね掛け部を構成するスペーサー１１Ｂ及びリベット１０には、引張コイルばね５の端末５Ａ，５Ｂが掛止される。
さらにまた、フレーム４の後方下部の通孔４Ｃ，４Ｃ間に円筒状のスペーサー１３Ｂを位置させ、リベット１３Ａを、一方の通孔４Ｃ、スペーサー１３Ｂの通孔及び他方の通孔４Ｃを通して軸端を加締めることにより、リベット１３Ａがフレーム４に取り付けられ、図２に示す障子Ｄ１の全閉状態では、揺動レバー２下端部の後面がスペーサー１３Ｂに当て止めされる。
【００１７】
また、図２に示すように第１カバー１４が障子Ｄ１に装着され、図５に示すように第１カバー１４の目隠し板１４Ａを揺動レバー２上部の左右の板状片間（図３も参照。）に差し込んだ状態で、図２に示すように、フレーム４の前方から取付ねじ１６，１６を障子Ｄ１に螺着することにより、操作力軽減装置１を障子Ｄ１に容易に取り付けることができ、操作力軽減装置１の操作片Ｈ１の表面側には第２カバー１５が取り付けられる。
ここで、図５に示すように第２カバー１５には、開口部１５Ａが形成されているため、障子Ｄ１の表側から操作片Ｈ１を操作することができ、開口部１５Ａの周囲には内方へ立起する壁状の周壁部１５Ｂが形成されているため、操作者の指が障子Ｄ１や第１カバー１４に挟まることがない。
さらに、図２に示す障子Ｄ１の全閉状態では、操作片Ｈ１を構成するハンドル７の上端部の当止片７Ｂが第１カバー１４の当止段部１４Ｂに当て止めされる。
【００１８】
次に、操作力軽減装置１の動作の詳細について説明する。
図６の部分縦断正面図に示すように、操作者が操作片Ｈ１（揺動レバー２の入力部Ｉ）を後側（戸尻側であり、図中矢印Ａ２参照。）へ移動させると、揺動レバー２が第１厚み方向軸Ｇ１まわりに揺動するため、揺動レバー２下端部の当接体であるカラー２Ａが前側（戸先側）へ揺動する。
カラー２Ａは揺動片３の後面３Ａに当接しており、カラー２Ａが揺動片３の後面３Ａを押圧しながら揺動するため、揺動片３が第２厚み方向軸Ｇ２まわりに揺動して障子Ｄ１の戸先端Ｃから突出する。
したがって、障子Ｄ１の全閉状態で上記操作片Ｈ１の操作を行うことにより、戸先端Ｃから突出した揺動片３が縦枠Ｌ（図１参照。）を押すため、その反力を受ける障子Ｄ１が開かれる。
【００１９】
図７の縦断正面図に示すように、障子Ｄ１を全閉状態から開く際における当接体であるカラー２Ａの揺動角度Ｍにおいて、カラー２Ａが当接する揺動片３の後面３Ａの位置（当接点）は、揺動し始め（縦枠Ｌの押し始め）は第２厚み方向軸Ｇ２から遠く、揺動するにつれて（縦枠Ｌを押して障子Ｄ１が開くにつれて）第２厚み方向軸Ｇ２に近づく。
すなわち、障子Ｄ１を全閉状態から開く際における操作片Ｈ１（揺動レバー２の入力部Ｉ）の後側への移動に伴う、揺動レバー２の揺動角度に対する揺動片３の揺動角度が漸減するように、揺動片３の後面３Ａを形成している。
【００２０】
このような揺動片の後面３Ａの形状により、図６に示すように、障子Ｄ１を全閉状態から開く際における操作片Ｈ１（揺動レバー２の入力部Ｉ）の前半の揺動角度Ｊ１に対する揺動片３の蹴り出し量Ｋ１と、後半の揺動角度Ｊ２に対する揺動片３の蹴り出し量Ｋ２との比（Ｋ１：Ｋ２）は、約３：１となっており、障子Ｄ１を全閉状態から開くにつれて、揺動片３の蹴り出し力は漸増する。
また、操作者が操作片Ｈ１を操作した後に手を放すと、弾性変形した引張コイルばね５の復元力により、図２に示すように揺動片３が障子Ｄ１の戸先端Ｃよりも後側（戸尻側）へ没入した状態に復帰する。
【００２１】
ここで、図１〜図７の構成に代えて、図８に部分縦断正面図に示すように、カバー１８により前後方向（開閉方向）にスライド可能に支持された操作片Ｈ２により、揺動レバー２の入力部Ｉを操作するようにしてもよい。
すなわち、操作片Ｈ２の摘み１７の上下方向の長孔１７Ａに揺動レバー２の入力部Ｉである係合ピン２Ｅが係合していることから、障子Ｄ１を全閉状態から開く際に、操作者が操作片Ｈ２を後側（戸尻側）へスライドさせると、揺動レバー２が第１厚み方向軸Ｇ１まわりに揺動するため、揺動レバー２下端部の当接体であるカラー２Ａが前側（戸先側）へ揺動し、揺動片３が第２厚み方向軸Ｇ２まわりに揺動して障子Ｄ１の戸先端Ｃから突出する。
図８のような構成によれば、障子Ｄ１を全閉状態から開く際における障子Ｄ１の移動方向と操作片Ｈ２を操作する方向とが完全に一致するため、操作性が向上する。
【００２２】
以上のような操作力軽減装置１の構成によれば、梃子の原理を利用した開放操作力軽減装置のような揺動レバーの一端部を障子Ｄ１，Ｄ２の戸先端から直接出没させて縦枠Ｌに押し当てる構成ではなく、揺動片３の戸尻側面３Ａを揺動レバー２下端部の当接体であるカラー２Ａにより押圧することにより、カラー２Ａにより押圧されて戸先端Ｃから突出する揺動片３を縦枠Ｌに押し当てる構成であるため、カラー２Ａが押圧される揺動片３の戸尻側面３Ａの形状を変えることにより、揺動レバー２の揺動角度に対する揺動片３の揺動角度（蹴り出し量）を容易に変えることができるので、コンパクトな構成により操作力を軽減する力（アシスト力）を大きくすることができる。
また、障子Ｄ１，Ｄ２を全閉状態から開く際における揺動レバー２の入力部Ｉの戸尻側への移動に伴う、揺動レバー２の揺動角度に対する揺動片３の揺動角度が漸減するように揺動片３の戸尻側面３Ａが形成されていることから、障子Ｄ１，Ｄ２を全閉状態から開くにつれ、揺動片３により縦枠Ｌを押す力（アシスト力）が漸増する。
したがって、ソフトクローズ機構Ｂ，Ｂを装備した室内引戸Ｓにおいては、障子Ｄ１，Ｄ２を全閉状態から開く際に一定開き量まで操作力が漸増するが、この漸増する操作力を軽減するために揺動片３により縦枠Ｌを押す力（アシスト力）も漸増するため、操作者が障子Ｄ１，Ｄ２を全閉状態から開く際に必要な力をほぼ一定にすることができるので、操作性（操作感）を大幅に向上することができる。
【００２３】
以上の説明においては、揺動片２の上端部が入力部Ｉであり、揺動片２の下端部に当接体（カラー２Ａ）を備え、当接体により揺動片３を駆動する構成を示したが、例えば図２及び図３に示す操作力軽減装置１において、上下を逆にした構成としてもよい。
また、揺動レバー２が、一端部に当接体が設けられるとともに他端部に入力部Ｉが設けられ、中間部が第１厚み方向軸Ｇ１まわりに揺動可能に支持されたものである場合を示したが、揺動レバー２の他端部を第１厚み方向軸Ｇ１まわりに揺動可能に支持し、この第１厚み方向軸Ｇ１と同軸の入力部に対してハンドル（操作片）を外付けにする構成であってもよい。このような構成によれば、高齢者又は障害者がハンドルを掴み易くなるため、操作性を向上することができる。
さらに、操作力軽減装置１の全部品を一体化したユニットを障子の戸先部に外付けするようにしてもよく、このような構成によれば、既存の引戸に容易に取り付けて迅速に使用することができる。なお、この構成の場合において、前後方向に揺動する揺動片は、障子の戸先端の左右方向側方から出没する。
【符号の説明】
【００２４】
Ａ１  閉方向                            Ａ２  開方向
Ｂ  引戸用ブレーキ装置（ソフトクローズ機構）
Ｃ  戸先端                              Ｄ１  外障子
Ｄ２  内障子                            Ｅ  開口部
Ｆ  枠体                                Ｇ１  第１厚み方向軸
Ｇ２  第２厚み方向軸                    Ｈ１，Ｈ２  操作片
Ｉ  入力部                              Ｊ１，Ｊ２  揺動角度
Ｋ１，Ｋ２  蹴り出し量                  Ｌ  縦枠
Ｍ  揺動角度                            Ｓ  室内引戸
１  操作力軽減装置                      ２  揺動レバー
２Ａ  カラー（当接体）                  ２Ｂ，２Ｃ  通孔
２Ｄ  螺孔                              ２Ｅ  係合ピン
３  揺動片                              ３Ａ  戸尻側面
３Ｂ，３Ｃ  通孔                        ４  フレーム
４Ａ，４Ｂ，４Ｃ  通孔                  ５  引張コイルばね
５Ａ，５Ｂ  端末                        ６Ａ  リベット
６Ｂ  スペーサー                        ７  ハンドル
７Ａ  通孔                              ７Ｂ  当止片
８  ハンドルカバー                      ９  取付ねじ
１０  リベット（ばね掛け部）            １１Ａ，１２Ａ  リベット
１３Ａ  リベット（当止部）              １１Ｂ  スペーサー（ばね掛け部）
１２Ｂ，１３Ｂ  スペーサー              １４  第１カバー
１４Ａ  目隠し板                        １４Ｂ  当止段部
１５  第２カバー                        １５Ａ  開口部
１５Ｂ  周壁部                          １６  取付ねじ
１７  摘み                              １７Ａ  長孔
１８  カバー
【図１】
2013130022.tif 000003
【図２】
2013130022.tif 000004
【図３】
2013130022.tif 000005
【図４】
2013130022.tif 000006
【図５】
2013130022.tif 000007
【図６】
2013130022.tif 000008
【図７】
2013130022.tif 000009
【図８】
2013130022.tif 000010